(57)【要約】【課題】コネクタの挿抜に伴う半田付け部への応力を軽減することができる表示装置及びコネクタ付回路基板の保持構造を提供する。【解決手段】回路基板と、回路基板上に設けられ、回路基板の面方向と平行な挿抜方向を有する接続口を有するコネクタ２５と、回路基板を収容し、接続口を露出させる開口４５ｂと、コネクタ２５の挿入方向の動きを規制する挿入側規制壁５１と、を有するケース３３と、を備える。ケース３３は、コネクタ２５の抜去方向の動きを規制する抜去側規制壁５２をさらに有する。【選択図】図５
2019145579.tif 000002
【特許請求の範囲】
【請求項１】
回路基板と、
前記回路基板上に設けられ、前記回路基板の面方向と平行な挿抜方向を有する接続口を有するコネクタと、
前記回路基板を収容し、前記接続口を露出させる開口と、前記コネクタの挿入方向の動きを規制する挿入側規制壁と、を有するケースと、を備える表示装置。
【請求項２】
前記ケースは、前記コネクタの抜去方向の動きを規制する抜去側規制壁をさらに有する、請求項１記載の表示装置。
【請求項３】
前記挿入側規制壁は、前記ケースから前記回路基板の面方向と垂直な方向に突出した突起であり、前記接続口の奥壁を形成する面の外側を前記コネクタが前記ケースに対して移動しないよう支持する、請求項１または２記載の表示装置。
【請求項４】
前記抜去側規制壁は、前記接続口の側壁を形成する面の外側であり、前記回路基板と対向する面を、前記コネクタが前記ケースに対して移動しないよう支持する、請求項２記載の表示装置。
【請求項５】
前記挿入側規制壁は、前記コネクタを前記開口に配置する方向に沿って低くなるよう傾斜した案内面を有する、請求項１記載の表示装置。
【請求項６】
回路基板と、
前記回路基板上に設けられ、前記回路基板の面方向と平行な挿抜方向を有する接続口を有するコネクタと、
前記回路基板を収容し、前記接続口を露出させる開口と、前記コネクタの挿入方向の動きを規制する挿入側規制壁と、を有するケースと、を備えるコネクタ付回路基板の保持構造。
【請求項７】
前記ケースは、前記コネクタの抜去方向の動きを規制する抜去側規制壁をさらに有する、請求項６記載のコネクタ付回路基板の保持構造。
【発明の詳細な説明】
【技術分野】
【０００１】
本発明は、車両などに搭載される表示装置及びコネクタ付回路基板の保持構造に関する。
【背景技術】
【０００２】
自動者や自動二輪車などの車両は、車両の速度やエンジン回転数、車両の状態などを表示する表示装置を有している。表示装置は、表示装置の電気的な制御を行う回路基板を有している。この回路基板は、表示装置外の機器と電気的に接続するためのコネクタを有している。例えば、特許文献１には、コネクタに相手コネクタを着脱する際、プリント基板の半田付け部に応力が加わりにくい、コネクタ付プリント基板の保持構造が開示されている。
【先行技術文献】
【特許文献】
【０００３】
【特許文献１】特開平１１−１３５９６５号公報
【発明の概要】
【発明が解決しようとする課題】
【０００４】
表示装置は、車両上の限られた空間に配置されるため、車両内の設置空間を考慮して設計される。このため、コネクタの挿抜方向を、回路基板に対して平行にする必要が生じる場合がある。この場合、例えば特許文献１に開示された保持構造は適用できず、半田付け部にクラックが生じる虞がある。
【０００５】
本発明はこのような事情を考慮してなされたもので、コネクタの挿抜に伴う半田付け部への応力を軽減することができる表示装置及びコネクタ付回路基板の保持構造を提供することを目的とする。
【課題を解決するための手段】
【０００６】
本発明に係る表示装置及びコネクタ付回路基板の保持構造は、上述した課題を解決するために、回路基板と、前記回路基板上に設けられ、前記回路基板の面方向と平行な挿抜方向を有する接続口を有するコネクタと、前記回路基板を収容し、前記接続口を露出させる開口と、前記コネクタの挿入方向の動きを規制する挿入側規制壁と、を有するケースと、を備える。
【発明の効果】
【０００７】
本発明に係る表示装置及びコネクタ付回路基板の保持構造においては、コネクタの挿抜に伴う半田付け部への応力を軽減することができる。
【図面の簡単な説明】
【０００８】
【図１】本発明に係る表示装置の実施形態であり、全体構成を示す正面図。
【図２】図１のII−II線に沿う断面図。
【図３】図１のIII−III線に沿う断面図。
【図４】下ケースを内側から見た斜視図。
【図５】下ケースにコネクタが配置された場合を説明するための、下ケースを内側から見た斜視図。
【発明を実施するための形態】
【０００９】
本発明に係る表示装置及びコネクタ付回路基板の保持構造の実施形態を添付図面に基づいて説明する。本発明に係る表示装置及びコネクタ付回路基板は、例えば自動車や自動二輪車などの車両や、船舶、農業機械、建設機械に搭載される。
【００１０】
図１は、本発明に係る表示装置の実施形態であり、全体構成を示す正面図である。
【００１１】
図２は、図１のII−II線に沿う断面図である。
【００１２】
図３は、図１のIII−III線に沿う断面図である。
【００１３】
以下の説明において、「前面側」は、図１における手前側、及び図２、図３における左側（上ケース３２側）であり、視認者に視認される側を意味する。「背面側」は、図１における奥側、及び図２、図３における右側（下ケース３３側）を意味する。「上側」は、図１から図３における上側を意味する。「下側」は、図１から図３における下側を意味する。
【００１４】
表示装置１は、車両のインストルメントパネル内に搭載されている。表示装置１は、表示ユニット１０と、回路基板２０と、ケース３０と、を有している。
【００１５】
表示ユニット１０は、表示パネルと、バックライトユニットと、を有している。表示パネルは、ＴＦＴ（Thin Film Transistor）方式の液晶表示パネルである。表示パネルは、液晶層を封入する一対の表面ガラス基板を有している。一対のガラス基板には、ＩＴＯ（Indium Tin Oxide）等により透明電極が形成されている。また、表示パネルは、一対の表面ガラス基板を挟み込むように配置された一対の表面偏光板（偏光フィルタ）を有している。表示パネルは、ＦＰＣ（Flexible Printed Circuits）を介して、回路基板２０に接続されている。表示パネルは、回路基板２０の制御部により制御されることにより、透明電極を介して液晶層に駆動電圧が印加される。これにより、液晶層の液晶分子の配向が制御され、表示パネルの個々の画素が透過状態または不透過状態に切り替わる。このような画素の組合せにより、表示パネルは、表示画面１５に所定の情報を表示する。バックライトユニットは、ＬＥＤ（Light Emitting Diode）等の光源及び導光体からなり、表示パネルを背面側から照明する。
【００１６】
回路基板２０は、表示ユニット１０の背面側に配置されている。回路基板２０は、例えばガラスエポキシ系材料からなる硬質の基板で形成されている。回路基板２０は、表示パネル及び光源のドライバと、表示パネル及び光源の制御部と、を主に有している。
【００１７】
制御部は、ＣＰＵ（Central Processing Unit）、ＲＯＭ（Read Only Memory）、ＲＡＭ（Random Access Memory）等を有しており、例えば、ＲＯＭに書き込まれたプログラムに従って所定の演算処理を実行する。制御部は、例えば、各種センサ等で取得された車速、各種車両情報等を車両のＥＣＵ（Electronic Control Unit）を介して取得する。制御部は、取得した情報に基づき、表示パネル及び光源を駆動制御する。
【００１８】
また、回路基板２０は、コネクタ付回路基板であり、コネクタ２５を有している。コネクタ２５は、回路基板２０の背面２１（回路基板２０上）にビス２６により固定されている。コネクタ２５は、端子を有し、この端子の一端は回路基板２０に半田付けにより固定されている。コネクタ２５は、接続口２７を介して表示装置１の外からワイヤーハーネスが有する相手コネクタと接続される。接続口２７は、回路基板２０の面方向と平行な挿抜方向を有している。
【００１９】
ケース３０は、中ケース３１と、上ケース（前面側のケース）３２と、下ケース３３（背面側のケース）と、を有している。
【００２０】
中ケース３１は、例えば白色等の遮光性の合成樹脂からなり、表示ユニット１０及び回路基板２０を固定し、支持する。
【００２１】
上ケース３２及び下ケース３３は、例えば黒色等の遮光性の合成樹脂からなる。上ケース３２及び下ケース３３は、組み合わされることにより表示装置１の外郭を形成する。また、上ケース３２及び下ケース３３は、内部空間を形成し、この内部空間に中ケース３１、表示ユニット１０及び回路基板２０を収容する。上ケース３２は、カバー３５がインサート成形によって一体に形成される、表示画面１５の領域にほぼ相当する開口３２ａを有している。カバー３５は、例えば透光性のポリカーボネート樹脂や無機ガラスからなる。カバー３５は、表示画面１５等に塵埃等が入らないように開口３２ａを覆っている。
【００２２】
ここで、図４は、下ケース３３を内側から見た斜視図である。図５は、下ケース３３にコネクタ２５が配置された場合を説明するための、下ケース３３を内側から見た斜視図である。図５においては、回路基板２０の図示は省略されている。
【００２３】
下ケース３３は、本体４１と、筒４５と、を有している。本体４１は、表示装置１の背面を形成する基面４２と、基面４２の四辺からほぼ垂直に立ち上がる側面４３と、を有している。筒４５は、下側の側面４３ａのほぼ中央に一方の開口端４５ａを有している。筒４５は、この一方の開口端４５ａから下側に伸びており、ケース３０全体から下側に突出した位置に、他方の開口端４５ｂを有している。開口端４５ｂは、コネクタ２５の接続口２７を露出させる開口として機能する。筒４５は、主に背面側の外表面４５ｃが外壁４６により覆われている。また、筒４５は、主に前面側の外表面４５ｃであって、外壁４６に覆われていない領域、及び外壁４６の両端と重複する領域を、上ケース３２に設けられた庇３２ｂにより覆われている。庇３２ｂは、両端に鍔３２ｃ（図１）を有する円弧状であり、開口端４５ｂからケース３０内への浸水を防止する。
【００２４】
下ケース３３は、コネクタ２５の保持構造として、挿入側規制壁５１と、抜去側規制壁５２と、を有している。
【００２５】
挿入側規制壁５１は、下ケース３３の基面４２の内面４２ａから、ケース３０の内側（右側から左側）であり回路基板２０の面方向（挿抜方向）と垂直な方向（法線方向）に突出した突起である。挿入側規制壁５１は、コネクタ２５の寸法等に応じて、複数個（図４及び図５においては３個）設けられている。挿入側規制壁５１は、コネクタ２５の（コネクタ２５に対する相手コネクタの）挿入方向である、下側から上側に向かうコネクタ２５の動きを規制する。具体的には、挿入側規制壁５１は、コネクタ２５の接続口２７の奥壁を形成する面の外側である壁面２５ａを、コネクタ２５が下ケース３３に対して上側に移動しないよう支持する。
【００２６】
挿入側規制壁５１は、頂部に案内面５４を有している。案内面５４は、コネクタ２５が設けられた回路基板２０を下ケース３３に配置する際、コネクタ２５を開口端４５ｂ（開口）に配置する方向（上側から下側）に沿って低くなるよう傾斜している。コネクタ２５は筒４５内に収容されるため、下ケース３３に回路基板２０を組み立てる際の作業性が低下する虞がある。また、挿入側規制壁５１が下ケース３３の基面４２に設けられているため、組立作業を阻害する虞がある。これに対し、案内面５４を設けたため、コネクタ２５が筒４５に配置される際には、コネクタ２５が案内面５４を滑り、筒４５内へ案内されるため、組み立てを簡易にできる。
【００２７】
抜去側規制壁５２は、筒４５の開口端４５ａにおいて、筒４５の前面側の内表面４５ｄから筒４５の内側に向けて突出した突起である。抜去側規制壁５２は、コネクタ２５の寸法等に応じて、複数個（図４及び図５においては２個）設けられている。抜去側規制壁５２は、コネクタ２５の（コネクタ２５に対する相手コネクタの）抜去方向である、上側から下側に向かうコネクタ２５の動きを規制する。具体的には、抜去側規制壁５２は、コネクタ２５の接続口２７の側壁を形成する壁面２５ｂの外側であり、回路基板２０の背面２１と対向する壁面２５ｂを、コネクタ２５が下ケース３３に対して下側に移動しないよう支持する。壁面２５ｂは、接続口２７の手前側において回路基板２０に対する立ち上がり部２５ｃを有している。抜去側規制壁５２は、この立ち上がり部２５ｃを利用してコネクタ２５を支持する。
【００２８】
このような本実施形態における表示装置１は、下ケース３３に挿入側規制壁５１及び抜去側規制壁５２を設けた。これにより、本実施形態のコネクタ２５のように、挿抜方向が回路基板２０と水平であり、回路基板２０に対して挿抜時のコネクタ２５の移動を抑止する保持構造（例えば特許文献１参照）を取れない場合であっても、好適にコネクタ２５を保持することができる。
【００２９】
ゆえに、表示装置１は、コネクタ２５の挿抜に伴う回路基板２０上の半田付け部への応力を軽減することができる。その結果、コネクタ２５と回路基板２０との半田付け部の接触不良を生じる虞を低減することができる。特に、このような表示装置１は、ワイヤーハーネスが剥き出しになっていることにより、コネクタ２５の挿抜が頻繁に起こりうる自動二輪車に適用した場合に有効である。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１  表示装置
１０  表示ユニット
１５  表示画面
２０  回路基板
２１  背面
２５  コネクタ
２５ａ、２５ｂ  壁面
２５ｃ  立ち上がり部
２６  ビス
２７  接続口
３０  ケース
３１  中ケース
３２  上ケース
３２ａ  開口
３２ｂ  庇
３２ｃ  鍔
３３  下ケース
３５  カバー
４１  本体
４２  基面
４２ａ  内面
４３、４３ａ  側面
４５  筒
４５ａ、４５ｂ  開口端（開口）
４５ｃ  外表面
４５ｄ  内表面
４６  外壁
５１  挿入側規制壁
５２  抜去側規制壁
５４  案内面
【図１】
2019145579.tif 000003
【図２】
2019145579.tif 000004
【図３】
2019145579.tif 000005
【図４】
2019145579.tif 000006
【図５】
2019145579.tif 000007